(57)【要約】【課題】昼間は屋外からの光を取り込み、夜間には無機ＥＬシートの発光によって屋内の照明を補助することが可能なブラインドを提供する。【解決手段】本発明の透光・発光ブラインド１は、複数のスラット２を連設してなる。複数のスラット２は、両面発光しかつ可視光を透過する無機ＥＬシート２１を備える。【選択図】図３
2014118704.tif 000002
【特許請求の範囲】
【請求項１】
複数のスラットを連設してなるブラインドであって、
前記複数のスラットが、両面発光しかつ可視光を透過する無機ＥＬシートを備えることを特徴とする透光・発光ブラインド。
【請求項２】
前記複数のスラットは、前記無機ＥＬシートを、透光性を有する保護フィルムで被覆された構造を備える、請求項１に記載の透光・発光ブラインド。
【請求項３】
前記無機ＥＬシートは、一対の透明電極間に、バインダー樹脂中に蛍光体粒子が分散された発光層を備える、請求項１または２に記載の透光・発光ブラインド。
【請求項４】
前記複数のスラットが備える前記無機ＥＬシートの発光パターンが同一である、請求項１〜３のいずれかに記載の透光・発光ブラインド。
【請求項５】
前記複数のスラットの表面に透明フィルムを貼る、あるいは直接印刷するなどして図形、絵柄、文字などを表示する、請求項１〜４のいずれかに記載の透光・発光ブラインド。
【請求項６】
前記複数のスラットが備える前記無機ＥＬシートの発光パターンが同一ではない、請求項１〜３のいずれかに記載の透光・発光ブラインド。
【請求項７】
前記複数のスラットは、前記無機ＥＬシートの発光強度が漸次変化するように配置される、請求項６に記載の透光・発光ブラインド。
【発明の詳細な説明】
【技術分野】
【０００１】
本発明は、ブラインドに関し、特に昼間は屋外からの光を取り込み、夜間には無機ＥＬシートの発光によって屋内の照明を補助する透光・発光ブラインドに関する。
【背景技術】
【０００２】
従来のブラインドは、可視光に対して不透明なスラット（ブラインド本体である羽根）の角度を変化させることによって目隠しの役割を果たすと同時に、屋内に取り込む光の量を調節して屋内の照度を所望の値にコントロールするものである。ブラインドは一般に、スラットが水平方向に設置された横型と、垂直方向に設置された縦型に大別されるが、その機能は基本的に同じである。
【０００３】
従来のブラインドでは、スラットの角度（傾き）によって透過する光量を調節できるが、屋外からの光はスラットによって遮断されるか、スラットの間を通るかのどちらかである。そのため平均的な光量を調節することはできても、直射日光の一部は屋内に入り込み、人にまぶしさを与えたり、物品を劣化あるいは退色させたりするという問題がある。そこで日中はスラットを閉じることになりがちだが、結果として屋内の照度が不足し、照明器具を併用するということになっていた。
【０００４】
特許文献１にはブラインドのスラットをＥＬシートで構成し、夜間には発光させるものが開示されている。
【先行技術文献】
【特許文献】
【０００５】
【特許文献１】特開２０００−３０３７５８号公報
【発明の概要】
【発明が解決しようとする課題】
【０００６】
しかし、特許文献１のＥＬシートはその構成から、片面に金属電極を用いた不透明なものであると考えられ、昼間には屋外からの光を遮断することになる。昼間にＥＬシートを点灯させると、照明器具と使用する場合と同じく、電力が必要となる。
【０００７】
本発明は、上記従来の課題に鑑みてなされたものであり、昼間は屋外からの光を取り込み、夜間には無機ＥＬシートの発光によって屋内の照明を補助するブラインドを提供することを目的とする。
【課題を解決するための手段】
【０００８】
本発明の透光・発光ブラインドは、横方向または縦方向に連設される複数のスラットが、両面発光しかつ可視光を透過する無機ＥＬシートを備える。昼間は屋外からの光を取り込み、夜間には無機ＥＬシートの発光によって屋内の照明を補助するものである。
【０００９】
無機ＥＬシートは、一対の透明電極間に、バインダー樹脂中に蛍光体粒子が分散された発光層を備える。
【００１０】
透明基材フィルムに形成された透明電極膜上に蛍光体粒子をバインダー樹脂に分散したものを塗布し、さらにその上に第２の透明電極を形成したものである。バインダー樹脂に対する蛍光体粒子の比率は、無機ＥＬシートの可視光に対する透過率が４０〜９０％になるように調節する。
【００１１】
無機ＥＬシートの発光色は、スラット全部について同一であってもよいし、異なっていてもよい。また各スラットの発光色がブラインド全体として何らかのパターン（図形、絵柄、グラデーション）などを形づくるものであってもよい。
【００１２】
この構成によって昼間はブラインドを締め切り、外部からの視線を遮りつつ、適量の外光を取り込むことによって屋内の照度を保つことができる。スラットを透過する光は蛍光体粒子によって拡散されるので、屋内全体を穏やかに照明することになる。屋外の光量が十分な場合には他の照明器具を点灯する必要がなく、電力の消費を削減できる。
【００１３】
夜間は、無機ＥＬシートを点灯させることでブラインド全体が発光して屋内の照明を補助する。昼間は外光を取り込んでいた窓の部分が発光するので、昼間と同じ雰囲気に屋内を保つことができる。また無機ＥＬシートの発光色、発光強度を昼間に外光が透過する場合とは異なるものとすることで、夜間には昼間とは異なった雰囲気を演出することもできる。
【００１４】
さらに無機ＥＬシートの発光の一部は窓を通して外部へ漏れ出るので、防犯の役割も果たす。
【発明の効果】
【００１５】
この発明によると、昼間は屋外からの光を取り込み、夜間には無機ＥＬシートの発光によって屋内の照明を補助することが可能となる。
【図面の簡単な説明】
【００１６】
【図１】本発明の第１の実施形態に係る横型の透光・発光ブラインドの正面図である。
【図２】上記透光・発光ブラインドのスラットの正面図である。
【図３】上記透光・発光ブラインドのスラットの側断面図である。
【図４】上記透光・発光ブラインドのスラットの製造工程を説明する断面図である。
【図５】上記透光・発光ブラインドの配線およびインバータ回路の設置態様の一例を説明する、要部の一部破断正面図である。
【図６】上記透光・発光ブラインドのスラットの透光時および発光時それぞれの動作を説明する模式的な光路図である。
【図７】本発明の第２の実施形態に係る縦型の透光・発光ブライドの正面図ある。
【図８】本発明の第３の実施形態に係る透光・発光ブライドの一例の正面図ある。
【図９】本発明の第３の実施形態に係る透光・発光ブライドの他の例の正面図ある。
【図１０】本発明の第４の実施形態に係る透光・発光ブライドの一例の正面図ある。
【発明を実施するための形態】
【００１７】
以下、図面を参照して、本発明の実施形態を説明する。
【００１８】
＜第１の実施形態＞
本発明に係る透光・発光ブラインドの第１の実施形態を説明する。
【００１９】
図１に示すように、透光・発光ブラインド１は、複数のスラット２を上下方向に連設してなる横型のブラインドとして構成される。
【００２０】
図２、図３に示すように、スラット２は、両面発光しかつ可視光を透過する無機ＥＬシート２１を備える。そして、スラット２は、無機ＥＬシート２１が透光性を有する保護フィルム２３で被覆された構造を備える。
【００２１】
無機ＥＬシート２１は、後述するように、一対の透明電極間に、発光層を備える構成が採用される。このような無機ＥＬシートの最も簡単な構成を有するものは、透明基材フィルムに形成された透明電極膜上に蛍光体粒子をバインダー樹脂に分散したものを塗布し、さらにその上に第２の透明電極を形成したものである。バインダー樹脂に対する蛍光体粒子の比率は、無機ＥＬシートの可視光に対する透過率が５０〜９０％になるように調節する。スラット２に外光を透過させるためには、発光層を挟む一対の電極膜のいずれもが透光性を有することが必要である。無機ＥＬシートは、電界の印加によって発光し、非発光時は可視光を透光するものであれば、一対の透明電極間に発光層以外の層が存在しても構わない。
【００２２】
図４（Ａ）〜図４（Ｄ）を用いて、スラット２の製造手順の一例を説明する。
【００２３】
まず、透明基材２２１の片面に透明電極膜２２２、発光層２２３および中間層２２４を形成したシートを一対準備し（図４（Ａ）参照。）、一対のシート２２Ａ，２２Ｂを中間層２２４同士が向き合うように貼り合せて圧着する（図４（Ｂ）参照。）。
【００２４】
次いで、図４（Ｂ）に示すように、一対のシート２２Ａ、２２Ｂの透明電極膜２２２の一端にリード線３を接続する。これにより、一対の透明電極膜２２２、２２２の間に発光層２２３が挟まれた構成を備えた透過型の無機ＥＬシート２１が得られる。
【００２５】
ここで、透明基材２２１としては、透明な樹脂フィルム（例えば、ＰＥＴフィルム）を好適に用いることが出来る。透明電極膜２２２の材料としては、ＩＴＯを好適に用いることが出来る。ＰＥＴフィルムの片面にＩＴＯ膜を形成したものは、一般に入手することが可能である。
【００２６】
発光層２２３は、バインダー樹脂２２３１中に蛍光体粒子２２３２が分散したものが好適に用いられる。例えば、バインダー樹脂２２３１に蛍光体を分散させたペーストを、前記のＩＴＯ膜付きＰＥＴフィルムのＩＴＯ上に所定の膜厚で塗布し、乾燥させて形成することが出来る。バインダー樹脂２２３１としては、熱可塑性フッ素樹脂を好適に用いることが出来る。蛍光体粒子２２３２は、分散型無機ＥＬ用発光体として一般的であるＺｎＳ系の蛍光体粉末を好適に用いることが出来る。
【００２７】
中間層２２４は、透光性を有する絶縁層であれば良く、最も簡素なものとしては上記のバインダー樹脂のみの層が挙げられる。例えば、熱可塑性フッ素樹脂をペーストにして、前記発光層２２３上に所定の膜厚で塗布し、乾燥させて形成することが出来る。
【００２８】
このような無機ＥＬシート２１は、初めから１枚のスラットに適したサイズで作っても良いが、大面積の大判で作っておいて同サイズにカットすると効率的に作製出来る。特に、本実施形態では、すべてのスラット２の発光パターン（発光色および発光強度）が同一に設定されるからである。
【００２９】
次に、図４（Ｃ）、無機ＥＬシート２１を２枚の透明な保護フィルム２３，２３でラミネートする。透明電極膜２２２に一端が接続されたリード線３は、保護フィルム２３から引き出されるようにラミネートする。これによって、図４（Ｄ）に示すように、透過型の無機ＥＬシート２１が透明な保護フィルム２３で被覆された構造を備えた、フラット形状を呈するスラット２の原型が得られる。
【００３０】
スラット２は、外形を保持するための主な構造部材である透明基材２２１および保護フィルム２３がフレキシブルで形状記憶性を備える材料であり、若干であれば曲げ加工が可能である。上記スラット２の原型を長手方向に延びる中心線で一方面側へ屈曲することで、図３に示すような、断面「く」の字型を呈するスラット２の完成品が得られる。
【００３１】
スラット２の形状は、「く」の字型に限らず、曲げ加工をする前のフラットなもの、円弧状に緩やかに湾曲させたものなど種々の形状を必要に応じて採用することが可能である。
【００３２】
図１に示すように、複数のスラット２はその長手方向を水平にした姿勢で、上下に配置されるヘッドボックス６およびボトムレール７の間にラダーコード４を用いて平行に昇降可能に支持される。窓枠の上部に固定されるヘッドボックス６を基準にして、ラダーコード４を巻き上げることで、スラット２が昇降し、窓面の開閉を行える。
【００３３】
図５に示すように、ヘッドボックス６内に無機ＥＬシート駆動用のインバータ（電源回路）７が配設される。インバータ回路８には電源線９の一端が接続される。電源線９の他端側はヘッドボックス６から引き出され、複数のスラット２を跨ぐように上下方向に配線される。電源線９を、不図示のラダーコード４（図１参照。）に沿って配線すると目立たないようスッキリ配線できる。各スラット２が備える無機ＥＬシート２１は互いに並列の関係でインバータ回路８に接続されることとなる。
【００３４】
次に、本実施形態に係る透光・発光ブラインドを具現した実施例により、本発明の作用効果を説明する。
【実施例１】
【００３５】
片面ＩＴＯ膜付のＰＥＴフィルム（厚さ125μm）に、蛍光体粒子をバインダー樹脂中に分散させた蛍光体ペーストを塗布し乾燥し、発光層とした。蛍光体ペースト中の蛍光体粒子とフッ素樹脂の重量比は1:1〜2:1が好ましいが、この限りではない。乾燥後の発光層の厚さは約40μｍとした。このように形成した発光層上に熱可塑性フッ素樹脂を塗布、乾燥し、乾燥後の厚さを10〜15μｍとした。
【００３６】
このシート２枚のフッ素樹脂面を互いに貼り合わせ、90〜100℃に加熱しながら圧着して、無機ＥＬシートを作成した（図２（Ａ）、図２（Ｂ）参照。）。次に、これを幅25 mm の短冊状に切断し、ＩＴＯ膜の一端に電極引き出し用のリード線を接続した後に２枚の透明フィルムでラミネートし、長手方向の中心線を折り目として約160°の角度で折り曲げ（図３参照。）、ブラインドのスラットとした。
【００３７】
以上の工程で無機ＥＬシートを主体するスラットを多数、作成し、従来の横型ブラインドのスラット部分に装着し（図１参照。）、リード線をまとめて電源回路に接続した。
【００３８】
なお、無機ＥＬシートは上記の工程の他、一方のシートにＩＴＯ膜付きＰＥＴフィルムを用いて貼り合わせてもよい。また、一方のシートはＩＴＯ膜付きＰＥＴフィルムに発光層のみを形成したもの、もう一方のシートはＩＴＯ膜付きＰＥＴに熱可塑性フッ素樹脂を塗布、乾燥したものであってもよい。
【００３９】
また、スラットは折り曲げる代わりに適当な曲率を持たせてもよい。
【００４０】
このようにして作製されるスラットは、透過型の無機ＥＬシートを自ら発光するとともに可視光線を透過することができる。これを用いたブラインドは、昼間は図６（Ａ）に示すように、屋外の光を拡散しつつ取り込むため、外部からの視線を完全に遮った状態でも屋内を明るく保つことができる。また夜間は図６（Ｂ）に示すように、無機ＥＬシートを点灯させると昼間と同様の補助照明効果を生むと同時に、（光の源が昼間は自然光、夜間はＥＬ発光という違いがあるため）昼間とは異なった雰囲気を演出することもできる。
【００４１】
＜第２の実施形態＞
本発明に係る透光・発光ブラインドの第２の実施形態を説明する。
【００４２】
本実施の形態に係る透光・発光ブラインド１１は、いわゆる縦型のブラインドであり、図７に示すように、複数のスラット１２は、長手方向の軸を垂直に向けて、上部に配置したヘッドボックス１６に、ウェイト１７を下端に装着した状態で配設される。
【実施例２】
【００４３】
実施例１と同様の工程で作製した無機ＥＬシートを、幅50〜100mmにカットした。さらにＩＴＯ膜の一端に電極引き出し用のリード線を接続した後、２枚の透明フィルムでラミネートしブラインドのスラットとした。スラットは長手方向の軸を折り目として適宜、折り曲げてもよい。また折り曲げる代わりに曲率を持たせてもよい。
【００４４】
このような無機ＥＬシートを主体としたスラットを多数、作成し、従来の縦型ブラインドのスラット部分に装着し（図７参照。）、リード線をまとめて電源回路に接続した。
【００４５】
本実施例によると、ブラインドの形状が縦型である以外は、実施例１と同じ作用、効果がある。縦型であるため、玄関、エントランス、ガラス製のドアなどの出入り口での使用に適する。
【００４６】
＜第３の実施形態＞
本発明に係る透光・発光ブラインドの第３の実施形態を説明する。
【００４７】
本実施形態に係る透光・発光ブラインド１は、基本構造は、第１実施形態に係る横型の透光・発光ブライドと同じであるが、並列に配設された複数のスラット２に、図８に示すように、文字（同図では一例として‘ＡＫＡＲＩ’の文字。）のパターンを印刷した半透明フィルム１３を貼り付け、スラット２を透過する外光やスラット２に備わる無機ＥＬシート２１（図２参照。）の発光により、ブラインド全体として文字が浮かび上がって表示されるようにしたものである。なお、図９に示すように、文字に限らず、図形、絵柄などのパターンを印刷した半透明フィルム１４を貼り付けることも出来る。
【００４８】
ブラインドの全体に、このような文字、図形、絵柄などが浮かび上がることによって、屋内の雰囲気に変化を持たせることができる。また夜間にも外部にむけた広告、宣伝効果をもたらすことが可能である。
【００４９】
図８、図９では、横型ブラインドの例を示したが、縦型ブラインド（図７参照。）でも同様の構成をとることができる。
【００５０】
＜第４の実施形態＞
本発明に係る透光・発光ブラインドの第４の実施形態を説明する。
【００５１】
上記第１〜第３の実施形態では、複数のスラット２は発光パターン（発光色および発光強度）がすべて同一に設定されているが、スラットごとに発光色、発光強度の少なくとも一方を異ならせてもよい。
【００５２】
本実施形態では、無機ＥＬシート２１を備えるスラット２を作製する際、１枚ずつ、あるいは数枚ずつを単位として、異なる発光色になるように発光層に用いる材料を調整した。具体的には組成の異なる蛍光体粒子を用いたり、蛍光体粒子に加えて蛍光顔料を添加したりして発光色を変化させる。発光層の蛍光体とバインダー樹脂の比率を変えて、発光強度を変化させてもよい。
【００５３】
このようにして製作したスラット２を透光・発光ブラインド１に用いると、たとえば図１０に示すように、複数のスラット２が備える無機ＥＬシート２１の発光強度が上から順に漸次減少するようなグラデーションを持ったブラインドを得ることができた。なお、発光強度に加えて発光色も連続的、あるいは段階的に変化させるようにしても良い。
【００５４】
本実施形態によると、無機ＥＬシート２１の発光色、発光強度がブラインド全体にわたって分布するので、屋内の照度にも緩やかな分布をもたらし穏やかな雰囲気を実現することができる。また昼間にスラット２を透過する外光の強度も無機ＥＬシートの特性にしたがって分布するので、昼間にも同様の効果が得られる。
【００５５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５６】
１、１１…透光・発光ブラインド
２、１２…スラット
３…リード線
４…ラダーコード
６、１６…ヘッドボックス
７、１７…ボトムレール
８…インバータ回路
９…電源線
１２…スラット
１３、１４…半透明フィルム
２１…無機ＥＬシート
２３…保護フィルム
２２１…透明基材
２２２…透明電極膜
２２３…発光層
２２４…中間層
２２３１…バインダー樹脂
２２３２…蛍光体粒子
【図２】
2014118704.tif 000003
【図４】
2014118704.tif 000004
【図６】
2014118704.tif 000005
【図１】
2014118704.tif 000006
【図３】
2014118704.tif 000007
【図５】
2014118704.tif 000008
【図７】
2014118704.tif 000009
【図８】
2014118704.tif 000010
【図９】
2014118704.tif 000011
【図１０】
2014118704.tif 000012